(57)【要約】      （修正有）【課題】歩行時における安全性を確保するとともに、階段状に積み上げた場合であっても、水平部分における土砂や採石などをこぼれ落ちないようにしたＬ型擁壁を提供する。【解決手段】主筋２０と側筋２１によって、上面に土砂が載置される載置部３やその載置部３から起立する土留め部２とを設けて格子状の面を有するＬ型擁壁１を構成する。そして、載置部３の先端側の主筋２０に、地中側に向けて略直角に屈曲させた第一屈曲部３０を設け、また、土留め部２の上端側における主筋２０に、堆積する土砂側に向けて屈曲させた第二屈曲部２２を設ける。これにより、第一屈曲部３０で水平方向のずれを防止するとともに、第二屈曲部２２で階段状に積まれたＬ型擁壁１との隙間における平坦部分からの土砂のこぼれ落ちを防止する。【選択図】図１
0003180508.tif 000002
【実用新案登録請求の範囲】
【請求項１】
上面に土砂や採石を載置させる載置部と、当該載置部から起立するように設けられる土留め部とを有してなるＬ型擁壁において、
前記載置部の先端側に地中側に食い込ませるように屈曲させた第一屈曲部と、
前記土留め部の上端側に法面側に屈曲させた第二屈曲部と、
を備えたことを特徴とするＬ型擁壁。
【請求項２】
前記載置部と土留め部を略直角に屈曲させるとともに、前記第一屈曲部を前記載置部から略直角をなすように地中側に向けて屈曲させ、さらに、前記第二屈曲部を土留め部の上端側から前記土砂や採石側に向けて略直角をなすように屈曲させるようにした請求項１に記載のＬ型擁壁。
【考案の詳細な説明】
【技術分野】
【０００１】
本考案は、道路脇や線路脇などに使用されるＬ型擁壁に関するものであり、より詳しくは、土圧や豪雨などによって崩壊を生じることなく、また、土砂や採石などを擁壁からこぼれ落ちないようにしたＬ型擁壁に関するものである。
【背景技術】
【０００２】
従来、急勾配な傾斜面横の道路脇や鉄道脇などを工事する場合、金属製のＬ型擁壁を用いて土砂や採石を堰き止めるようにしている。このようなＬ型擁壁としては、一般的に、図４に示すように、Ｌ字状に屈曲させた主筋９０に側筋９１を溶接して格子状の面を形成するとともに、これに金属製のメッシュ部材９２を取り付けるようにしたものが使用されている。また、このようなＬ型擁壁において、土圧によるずれを防止するために、水平方向の主筋の先端を下方に屈曲させて土砂や採石などに食い込ませ、これによって水平方向へのずれを防止できるようにしたものなども用いられている（特許文献１）。
【先行技術文献】
【特許文献】
【０００３】
【特許文献１】特開平１０−２９７６１１号公報
【考案の概要】
【考案が解決しようとする課題】
【０００４】
しかしながら、このような従来のＬ型擁壁を用いて擁壁を構築する場合、次のような問題を有する。
【０００５】
すなわち、このようなＬ型擁壁を使用する場合、Ｌ型擁壁の上端部分が露出した状態となるため、その上面部分を歩行すると、作業員が主筋の上端部分でつまずいたり、あるいは、尖った先端で怪我をしたりする可能性がある。
【０００６】
また、このようにＬ型擁壁を用いて高い擁壁を形成する場合、階段状にＬ型擁壁を配置することになるが、このように階段状に擁壁を配置する場合、Ｌ型擁壁の上端部分と次のＬ型擁壁の水平部分との隙間が大きいと、その部分から土砂や採石が豪雨などでこぼれ落ちてしまい、そこから下段側のＬ型擁壁の土砂などが少なくなっていってしまうといった問題がある。
【０００７】
そこで、本考案は、上記課題に着目してなされたもので、歩行時における安全性を確保するとともに、階段状に積み上げた場合であっても、水平部分における土砂や採石などをこぼれ落ちないようにしたＬ型擁壁を提供することを目的とするものである。
【課題を解決するための手段】
【０００８】
すなわち、本考案は、上記課題を解決するためになされたものであって、上面に土砂や採石を載置させる載置部と、当該載置部から起立するように設けられる土留め部とを有してなるＬ型擁壁において、前記載置部の先端側に地中側に食い込ませるように屈曲させた第一屈曲部と、前記土留め部の上端側に法面側に屈曲させた第二屈曲部とを設けるようにしたものである。
【０００９】
また、このような考案において、前記載置部と土留め部を略直角に屈曲させるとともに、前記第一屈曲部を前記載置部から略直角をなすように地中側に向けて屈曲させ、さらに、前記第二屈曲部を土留め部の上端側から前記土砂や採石側に向けて略直角をなすように屈曲させる。
【００１０】
このように構成すれば、第一屈曲部でＬ型擁壁全体の水平方向のずれを防止するとともに、上端部を屈曲させた第二屈曲部によって歩行時の安全性や上段の水平面側における土砂や採石のこぼれなどを防止することができるようになる。
【考案の効果】
【００１１】
本考案によれば、上面に土砂や採石を載置させる載置部と、当該載置部から起立するように設けられる土留め部とを有してなるＬ型擁壁において、前記載置部の先端側に地中側に食い込ませるように屈曲させた第一屈曲部と、前記土留め部の上端側に法面側に屈曲させた第二屈曲部とを設けるようにしたので、第一屈曲部でＬ型擁壁全体の水平方向のずれを防止するとともに、上端部を屈曲させた第二屈曲部によって歩行時の安全性や上段の水平面側における土砂や採石のこぼれなどを防止することができるようになる。
【図面の簡単な説明】
【００１２】
【図１】本考案の一実施の形態を示すＬ型擁壁を示す外観斜視図
【図２】同形態における側面図
【図３】同形態におけるＬ型擁壁を階段状に積み上げた状態を示す図
【図４】従来例におけるＬ型擁壁を示す図
【考案を実施するための最良の形態】
【００１３】
以下、本考案の一実施の形態におけるＬ型擁壁について図面を参照しながら説明する。
【００１４】
この実施の形態のＬ型擁壁は、土砂や採石（以下、まとめて土砂７ｕという）を堰き止めて比較的低い（３０ｃｍ〜６０ｃｍ程度）擁壁を形成できるようにしたもので、図１に示すように、地面に設置可能で、且つ、その上面に土砂や採石（以下、まとめて土砂７ｕという）を載置できるようにした載置部３と、この載置部３の一端側から略直角に起立させ、載置部３に載置された土砂７ｕを堰き止めて崩落を防止する土留め部２とを備えるようにしたものであって、特徴的には、その載置部３の先端側に、地中側に向けて屈曲させた第一屈曲部３０を設けるとともに、土留め部２の上端側に、土砂７ｕ側に向けて略水平に屈曲させた第二屈曲部２２を設けるようにしたものである。以下、本実施の形態におけるＬ型擁壁について詳細に説明する。
【００１５】
まず、Ｌ型擁壁１の載置部３と土留め部２は、やや太い金属フレームの主筋２０や細めの金属フレームの側筋２１を格子状に溶着して構成されるものであって、主筋２０を略直角に屈曲させて間欠的に配置するとともに、その間欠的に配置された方向に沿って側筋２１を溶着させ、全体として格子状の面を形成できるようにしている。
【００１６】
このうち、主筋２０における載置部３の先端側には、地中側に向けて突き刺さるように略直角に屈曲させた第一屈曲部３０が設けられており、これによって、載置部３の上面に土砂７ｕを載置させた際に、上から掛かる圧力によってＬ型擁壁がずれないようにしている。
【００１７】
さらに、この主筋２０における土留め部２の上端側には、土砂７ｕ側に向けて略直角に屈曲させた第二屈曲部２２が設けられており、これによって、先端部分を上方に向けて突出させないようにして、歩行時におけるつまずきを防止するとともに、載置部３に載置された土砂７ｕが上方からこぼれ落ちないようにしている。
【００１８】
一方、このように構成された主筋２０に対して、直線状に構成された側筋２１は、載置部３の下面側に溶着されるとともに、土留め部２の外側（土砂７ｕに接しない側）に溶着される。なお、ここでは、側筋２１を載置部３の下面側に配置するとともに、土留め部２の外側に配置するようにしているが、載置部３の上面側に配置するとともに、土留め部２の内側に配置するようにしてもよい。
【００１９】
そして、このように構成された載置部３や土留め部２に対してメッシュ部材５が内側に取り付けられる。
【００２０】
このメッシュ部材５は、金網、合成樹脂製の網状体、麻布などによって構成されるものであって、土砂７ｕの流出をある程度防止するとともに、雨水などを通すことができる素材で構成される。このようなメッシュ部材５を取り付ける場合は、土留め部２の内側に針金６などを用いて取り付けるようにする。なお、ここでは針金６などを用いて結束させるようにしているが、土留め部２に金属製のメッシュ部材５を溶着して設けるようにしてもよい。もしくは、主筋２０と側筋２１のピッチを短くして土砂の流出を防止できるようにした場合は、このようなメッシュ部材５を用いないようにしてもよい。
【００２１】
補助筋４は、Ｌ型擁壁１の土留め部２と載置部３とを斜めに掛け渡す金属製の部材によって構成されるものであって、土留め部２の上端の側筋２１と載置部３の先端側の側筋２１との間を掛け渡し、これによって土留め部２の前方への撓みを防止するようにしている。この補助筋４の上端側には、側筋２１に係止できるようにしたフック部４０を設けており、このフック部４０を土留め部２の側筋２１に係止するとともに、その内側に設けられたメッシュ部材５の小さな開口部５０にも通し込んで係止する。なお、この補助筋４を係止する場所については、土留め部２の上端の側筋２１に限らず、中段部分であってもよい。この場合、あらかじめ長さの異なる補助筋４を用意しておき、中段となる適所にその補助筋４を係止させるようにする。
【００２２】
一方、補助筋４の下端側には、Ｌ字状に直角に屈曲させたアンカー部４１が形成されており、これを載置部３の先端側の側筋２１に係止させる。この係止によって、載置部３の下面側にアンカー部４１が突出するようになり、このアンカー部４１によってもＬ型擁壁１の前後左右への位置ずれを防止することができる。このように構成された補助筋４を取り付ける位置としては、一般的には、等間隔に取り付けるようにするのが好ましいが、例えば、前方への位置ずれや撓み防止を強化するべき場所が存在している場合は、その場所に集中的に配置する。もちろん、地面に大きな石などが存在してアンカー部４１を地面に食い込ませることができない場合は、その場所を避けて補助筋４を取り付けるようにする。
【００２３】
次に、本実施の形態におけるＬ型擁壁１を用いた土留工法について説明する。
【００２４】
まず、急勾配を有する道路脇や鉄道脇の空間や、丘陵地に平坦な空間を確保する場合、切土または盛土などをして平坦な高地と低地とを確保するが、その高地と低地の境界面は、高地の土砂７ｕの崩落を防止するため高地から低地へと急傾斜してしまう。このような急斜面に法面を形成する場合、まず、傾斜面を形成している土砂７ｕを掘削してＬ型擁壁１の載置部３を設置するための平坦な地面を形成し、且つ、高地と低地との間に略垂直な境界面を形成していく。そして、その境界面に沿ってＬ型擁壁１を配置していく。
【００２５】
このようにＬ型擁壁１を配置していく際、載置部３の第一屈曲部３０を足などで踏み付けて地面内に食い込ませ、この第一屈曲部３０によって載置部３を地面に係止させ、前後左右への位置ずれを防止する。
【００２６】
そして、次に、補助筋４を取り付けるべく、その補助筋４のアンカー部４１を硬い地面部分を避けて、補助筋４を土留め部２に係止させる。この際、図２に示すように、土留め部２の左右方向の最上段における側筋２１に補助筋４のフック部４０を掛止させるとともに、その土留め部２の内側（土砂７ｕが堆積される側）に設けられたメッシュ部材５の開口部５０にもフック部４０を係止させる。そして、補助筋４を回転させて、他端側であるアンカー部４１を載置部３の先端側の側筋２１に掛止させ、そのアンカー部４１を地面内に食い込ませる。このとき、載置部３の第一屈曲部３０は地面に対して直角に打ち込まれるとともに、また、補助筋４のアンカー部４１は、それよりも前方側へ向くように打ち込まれる。そして、この状態で、載置部３に土砂７ｕを堆積して行く。
【００２７】
また、土砂７ｕを堆積させた後、階段状にＬ型擁壁１を配置させる場合は（図３の状態）、土留め部２の上端側に設けられた第二屈曲部２２のわずか後方に次のＬ型擁壁１を配置し、同様に、第一屈曲部３０の食い込みや補助筋４の係止、土砂７ｕの堆積などを行うようにしていく。すると、第一段目と第二段目のＬ型擁壁１における階段状の平坦部分Ｗは、第一段目の水平な第二屈曲部２２で覆われ、これによって、その部分からの土砂７ｕのこぼれなどを防止することができる。また、このように、第一段目のＬ型擁壁１のわずか後方に上段のＬ型擁壁１を配置するのではなく、例えば、第一段目のＬ型擁壁１における第二屈曲部２２に上段のＬ型擁壁１の側筋２１を係止させ、これによってそれぞれのＬ型擁壁１のずれを防止するとともに、平坦部分Ｗからの土砂７ｕのこぼれなどを防止できるようにすることもできる。
【００２８】
このように、上記実施の形態によれば、上面に土砂７ｕが載置される載置部３と、当該載置部３から起立するように設けられ、前記土砂７ｕを堰き止める土留め部２とを有してなるＬ型擁壁１において、前記載置部３の先端側を地中側に向けて屈曲させた第一屈曲部３０と、前記土留め部２の上端側を前記堆積する土砂７ｕ側に向けて屈曲させた第二屈曲部２２とを備えるようにしたので、第一屈曲部３０でＬ型擁壁１全体の水平方向のずれを防止するとともに、上端部を屈曲させた第二屈曲部２２によって歩行時の安全性や上段の水平面側における土砂７ｕのこぼれなどを防止することができるようになる。
【００２９】
なお、本考案は上記実施の形態に限定されるものではなく、種々の態様で実施することができる。
【００３０】
例えば、上記実施の形態では、載置部３の先端側に第一屈曲部３０を設けるようにしているが、このような第一屈曲部３０を設けることなく、補助筋４のアンカー部４１によってのみ前方への位置ずれを防止してもよい。このような構成が有効に用いられる場合としては、例えば、土留めを行う場所の地面が比較的固いか、もしくは、地面の適所に大きな石や岩などが存在していているような場合であって、載置部３の第一屈曲部３０を地面内に食い込ませることができないような場合が想定される。このような場合、アンカー部４１を打ち込むことのできる場所を探し、その場所に補助筋４を取り付けてアンカー部４１を打ち込むようにすればよい。このようにすれば、大きな石や岩が多数存在しているような場所であっても、Ｌ型擁壁１を固定することができるようになる。
【００３１】
また、上記実施の形態では、土留め部２にメッシュ部材５を取り付けるようにしたが、第二屈曲部２２の内側にもメッシュ部材５を取り付けるようにしてもよい。
【符号の説明】
【００３２】
１・・・擁壁
２・・・土留め部
３・・・載置部
４・・・補助筋
５・・・メッシュ部材
６・・・針金
７ｕ・・・土砂
７ｄ・・・地面
２０・・・開口部
２１、３１・・・長状体
３０・・・アンカー部
４０・・・フック部
４１・・・アンカー部
５０・・・開口部
【図１】
0003180508.tif 000003
【図２】
0003180508.tif 000004
【図３】
0003180508.tif 000005
【図４】
0003180508.tif 000006